(57)【要約】【課題】  本発明は、電気配線の動きを滑らかにしてサンバイザ本体のスライドに追従させ、車両用サンバイザの動作不良をなくすことを目的とする。【解決手段】  本発明に係る車両用サンバイザは、一方の端部が車体に装着されるシャフトと、シャフトに沿ってスライドするサンバイザ本体と、サンバイザ本体の内部に装着されたミラーユニットに電気を供給するためにサンバイザ本体内部に配線され、サンバイザ本体のスライド幅に対応する弛みを持って、シャフトの他方の端部とサンバイザ本体の所定位置に固定された電気配線と、電気配線の弾性を補うために、シャフトの他方の端部とサンバイザ本体の所定位置との間の電気配線に沿って付装される補強部材と、を備える。【選択図】  図３
2010167864.tif 000002
【特許請求の範囲】
【請求項１】
一方の端部が車体に装着されるシャフトと、
前記シャフトに沿ってスライドするサンバイザ本体と、
前記サンバイザ本体の内部に装着されたミラーユニットに電気を供給するために前記サンバイザ本体内部に配線され、前記サンバイザ本体のスライド幅に対応する弛みを持って、前記シャフトの他方の端部と前記サンバイザ本体の所定位置に固定された電気配線と、
前記電気配線の弾性を補うために、前記シャフトの他方の端部と前記サンバイザ本体の所定位置との間の前記電気配線に沿って付装される補強部材と、
を備えることを特徴とする車両用サンバイザ。
【請求項２】
前記補強部材は、
前記シャフトの他方の端部または端部近傍に固定され、少なくとも前記スライド幅の最大値に相当する長さを有する線状の弾性部材であることを特徴とする請求項１に記載の車両用サンバイザ。
【発明の詳細な説明】
【技術分野】
【０００１】
本発明は、車両に装備されるサンバイザに関する。
【背景技術】
【０００２】
車両の車室内に装備されるサンバイザは、主として太陽光等の眩光を遮蔽する目的に使用されるが、ミラー等を備えて副次的な用途にも対応できるように構成されている。このために、夜間の使用に備えて照明用のランプなどを装着し、電気配線を内部に挿通したものがある。
【０００３】
特許文献１には、サンバイザ本体の内部に、電気配線であるハーネスを挿入する際の作業が容易に行えるように、ハーネスのガイド通路を一体成形したサンバイザが記載されている。
【先行技術文献】
【特許文献】
【０００４】
【特許文献１】特開２００２−１２７１７９号公報
【発明の概要】
【発明が解決しようとする課題】
【０００５】
本発明が解決しようとする問題点について、図面を用いて以下に説明する。
【０００６】
図１は、眩光を遮光するためにサンバイザ本体４をスライドさせて、好適な位置で使用できる機能を有する車両用サンバイザ１の構造を示した模式図である。図１（ａ）は、シャフト２をサンバイザ本体４内に収納した状態を示している。図１（ｂ）は、サンバイザ本体４をシャフト２に沿ってスライドさせた状態を示している。
【０００７】
図１（ａ）に示すように、車両用サンバイザ１は、サンバイザ本体４、および、シャフト２、ミラーユニット５、電気配線であるハーネス６を備えている。サンバイザ本体４は、合成樹脂を一体成形した芯材を折り重ねた中空構造であり、図１（ａ）は、芯材の片方を切り欠いて示した模式図である。サンバイザ本体４の内部には、シャフト２が挟み込まれた状態で装着されている。また、シャフト２の一方の端部には、車両本体に装着するためのブラケット３が取り付けられており、もう一方の端部にはスライドサポート７が取り付けられている。スライドサポート７は、サンバイザ本体４の内部に一体成形されたスライドガイド９に沿ってスライドし、サンバイザ本体がシャフト２に沿って滑らかにスライドできるように機能する。
【０００８】
ハーネス６は、シャフト２のブラケット３側の端部からスライドサポート７側の端部へと挿通されて、サンバイザ本体４の内部へ配線されている。ハーネス６の端部はミラーユニット５の端子１０に結合され、車両本体側からミラーユニットへ電気を供給する。また、スライド時のハーネス張力が端子１０の結合部に直接加わらないように、ハーネス６は、サンバイザ本体４に付設された固定部１２に固定されている。
【０００９】
図１（ａ）に示すように、シャフト２がサンバイザ本体４の内部に収納された状態において、ハーネス６は、サンバイザ本体４のスライド幅に対応した弛みを持って配索されている。ハーネス６は、スライドサポート７が取り付けられたシャフト２の端部と、サンバイザ本体４に付設された固定部１２との間の弛みにより、サンバイザ本体４のスライド幅を吸収する。
【００１０】
図１（ｂ）は、サンバイザ本体４を、シャフト２に沿って図中の矢印方向へ最も幅広くスライドした状態を示している。ハーネス６は、中間をハーネスガイド８に支持され、スライドサポート７が取り付けられたシャフト２の端部と固定部１２の間の弛みを持っていた部分が伸びきった状態となっている。このように、図１（ａ）と図１（ｂ）に示した状態、または中間の状態に、自在に位置することが可能な構造とすることにより、ミラーユニット５に電気を供給しながら、サンバイザ本体４を自在にスライドさせることができる。
【００１１】
しかしながら、上記の車両用サンバイザ１には、図１（ｂ）に示すように、サンバイザ本体４を最大幅にスライドさせた後、逆方向にスライドさせてシャフト２を収納する際に、以下の問題が発生する場合があった。
【００１２】
図２は、芯材の一方を除いたサンバイザ本体４の内部を模式的に示している。サンバイザ本体４が最大幅のスライドをしてスライドサポート７がスライドガイド９の左端部に位置した状態から、逆方向にスライドして図中７ａに示す位置に戻った場合、ハーネス６は、図中の伸びきった状態から弛んだ状態（図中のハーネス６ａ）へ戻る。この時、サンバイザ本体４のスライドを素早く操作した場合や、車室内が高温となりハーネス６が軟化して弾性を失った場合などにおいて、図中にＡで示すような折れ曲がりが生じる場合がある。このような状態になると、スライドサポート7がスライドガイド9に沿ってスライドできなくなり、シャフト２を完全に収納してスライド前の状態に戻らない動作不良が生じていた。
【００１３】
そこで、本発明は、上記の問題に鑑み、電気配線の動きを滑らかにしてサンバイザ本体のスライドに追従させ、車両用サンバイザの動作不良をなくすことを目的としている。
【課題を解決するための手段】
【００１４】
上記課題を解決するために、本発明に係る車両用サンバイザは、一方の端部が車体に装着されるシャフトと、シャフトに沿ってスライドするサンバイザ本体と、サンバイザ本体の内部に装着されたミラーユニットに電気を供給するためにサンバイザ本体内部に配線され、サンバイザ本体のスライド幅に対応する弛みを持って、シャフトの他方の端部とサンバイザ本体の所定位置に固定された電気配線と、電気配線の弾性を補うために、シャフトの他方の端部とサンバイザ本体の所定位置との間の電気配線に沿って付装される補強部材と、を備えることを特徴とする。
【００１５】
本発明によれば、電気配線は、弾性を補うための部材が付装されて補強されるので、折れ曲がることなくサンバイザ本体の素早い操作に追従することができる。また、高温時においても必要な弾性を失わないように補強される。これにより、電気配線の動きを滑らかにして、サンバイザ本体の動作不良をなくすことができる。
【００１６】
さらに、本発明に係る車両用サンバイザおいて、補強部材は、シャフトの他方の端部または端部近傍に固定され、少なくともスライド幅の最大値に相当する長さを有する線状の弾性部材であることを特徴とする。
【００１７】
これにより、サンバイザ本体のスライド幅に対応した範囲における電気配線の動きを円滑にすることができ、動作不良を確実に防止できる。
【発明の効果】
【００１８】
本発明に係る車両用サンバイザによれば、電気配線の動きを滑らかにしてサンバイザ本体のスライドに追従させることにより、サンバイザの動作不良をなくすことができる。
【図面の簡単な説明】
【００１９】
【図１】従来技術に係る車両用サンバイザを示した模式図である。
【図２】従来技術に係る車両用サンバイザを示した模式図である。
【図３】本発明に係る車両用サンバイザを示した模式図である。
【図４】本発明に係る別の態様の車両用サンバイザを示した模式である。
【図５】本発明に係る別の態様の補強部材を示す模式図である。
【発明を実施するための形態】
【００２０】
以下、本発明に係る好適な実施の形態について、図面を参照しながら詳細に説明する。
【００２１】
図３は、本実施態様に係る車両用サンバイザを示す模式図である。サンバイザ本体４を構成する芯材の一方を外して内部が見える状態を示している。一方の端部が車体に装着されるシャフト２（図１参照）と、シャフト２に沿ってスライドするサンバイザ本体４と、を備えている。また、サンバイザ本体４の内部には、ミラーユニット５が装着され、ミラーユニット５に電気を供給するための電気配線であるハーネス６が配線されている。
【００２２】
ハーネス６は、シャフト２に挿通されて外部の電源につながっている。また、サンバイザ本体４のスライドに追従して動くために、弛みを持って配線されている。例えば、サンバイザ本体４が図中に示す矢印の方向にスライドした場合、シャフト２の端部に取り付けられたスライドサポート７が７ｂへスライドする動きに対応して、ハーネス６は、図中に示す伸びた状態６から弛みをもった状態６ｂに変化する。また、ハーネス６は、スライドサポート７が取り付けられているシャフト２の端部、およびサンバイザ本体４に付設された固定部１２において固定されている。これにより、サンバイザ本体４のスライドに追従するハーネス６の動きが、シャフト２の端部と固定部１２との間に限定され、シャフト２の内部に挿通されて外部の電源に接続される配線部、およびミラーユニット５の端子１０に接続された部分に影響を与えることがない。
【００２３】
また、ハーネス６、６ｂが、サンバイザ本体４のスライドに追従して動く場合に折れ曲がりが生じないよう補強部材１３が付装備されている。補強部材１３は、スライドサポート７が取り付けられているシャフト２の端部と、固定部１２の間に配置される。少なくとも、図３に示すスライドサポート７の位置にあるシャフト２の端部から、スライドガイド９の端に設けられたハーネスガイド８を超える位置まで付装することが好ましい。
【００２４】
図中に示すスライドサポート７の位置は、サンバイザ本体が最も大きな幅にスライドされた状態に対応する位置であり、スライドサポート７とハーネスガイド８の間の長さが最大スライド幅に相当する。この間のハーネス６の弾性を補強部材１３で補強することにより、サンバイザ本体４が図中の矢印の方向にスライドされて戻された場合に生じるハーネス６の折れ曲がり（図２中のＡ参照）無くなる。これにより、スライドサポート７のスムーズな動きが確保され、サンバイザ本体4のスライド不良を無くすことができる。
【００２５】
補強部材１３の材料は、サンバイザ本体４の内部でハーネス６の動きに追従する弾性を有し、サンバイザが装備される車室の温度が高温になった場合に弾性を失わない材料を用いる。例えば、線状の鋼材であるピアノ線を用いることができる。ピアノ線の太さを選択して、ハーネス６の動きに追従する弾性を有し、車室が高温となった場合にも、折れ曲がりを防ぐ弾性を備える太さの材料を得ることは容易である。また、図３中に示すように、不織布テープ１４により、好適な長さのピアノ線をハーネス６に付装することにより、低コストで容易に本発明を実施することが可能である。また、ピアノ線に替えて、耐熱性をもったポリプロピレン（ＰＰ）またはポリアミド（ＰＡ）等の合成樹脂を材料とした樹脂ワイヤーを用いることもできる。
【００２６】
図４は、本発明の別の実施態様に係る車両用サンバイザの内部構成を示す模式図である。本実施態様においては、補強部材１５の形状、取り付け法において、前述の実施例と異なっている。サンバイザ本体４の内部に、シャフト２の先端に取り付けられたスライドサポート7を備え、シャフト２に挿通されたハーネス６がミラーユニット５に配線されている構成は同じである。ハ−ネス６は、スライドサポート７が取り付けられているシャフト２の端部と、ミラーユニットに付設した固定部１２に固定されている点も同じである。ハーネス６に付装された補強部材１５は、樹脂ワイヤー本体１６ａに複数の取付用フック１６ｂが一体成形された構造を有する（図５参照）。
【００２７】
図５（ａ）は、補強部材１５を模式的に示した斜視図である。また、図５（ｂ）は、補強部材１５の側面を模式的に示した図である。
【００２８】
図５（ａ）に示すように、補強部材１５は、樹脂ワイヤー本体１６ａにハーネスに取り付けるための複数の取付用フック１６ｂを設けたものである。また、図５（ｂ）に示すように、取付用フック１６ｂは、樹脂ワイヤー１６ａの片側の側面に接続したコの字型の形状をしており、開口部Ｃを広げてハーネス６を挟み込むことにより、補強部材１５を付装することができる。さらに、サンバイザ本体４のスライドに追従してハーネス６が動く時に、補強部材１５が位置ずれしないように、コの字型の取付部の大きさはハーネス６の太さに比して、一回り小さくする形成している。
【００２９】
取付用フック１６ｂを設けたことにより、補強部材１５をハーネス６に取り付ける作業を簡単に行うことができ、作業効率の向上を図ることができる。また、ハーネス６の弾性の補強は、樹脂ワイヤー本体１６ａの材料となる合成樹脂の剛性に合わせて太さを好適に設定することで調整することができる。また、樹脂ワイヤー１６ａの中心にピアノ線を通して補強しても良い。
【００３０】
以上、本発明の好ましい実施例について詳述したが、本発明に係る車両用サンバイザは上述した実施例に限定されるものではなく、特許請求の範囲に記載された本発明の要旨の範囲内において、種々の変形、変更が可能である。
【符号の説明】
【００３１】
１      車両用サンバイザ
２      シャフト
３      ブラケット
４      サンバイザ本体
５      ミラーユニット
６、６ａ、６ｂ    ハーネス（電気配線）
１２    固定部
１３    補強部材（ピアノ線）
１５    補強部材
【図１】
2010167864.tif 000003
【図２】
2010167864.tif 000004
【図３】
2010167864.tif 000005
【図４】
2010167864.tif 000006
【図５】
2010167864.tif 000007